(57)【要約】【課題】巻線コイルとボビンを一体化させて印刷回路基板を水平に使用可能にし、結果として、ボビンの厚さを著しく縮め、電子製品の小型化に応えられる薄型の光ピックアップ装置用アクチュエータを提供する。【解決手段】光ピックアップアクチュエータは、印刷回路基板、印刷回路基板の両面に形成されたトラッキング回路パターン及びフォーカシング回路パターン、フォーカシング回路パターン及びトラッキング回路パターンをそれぞれ連結するバイアホール、対物レンズ取付部、及び回路パターンに連結されて電源供給する接続パッドを含むボビンと、フォーカシング回路パターン及びトラッキング回路パターンに電源を供給するワイヤと、ワイヤを支持するホルダーと、印刷回路基板のフォーカシング回路パターンにはフォーカシング方向に、トラッキング回路パターンにはトラッキング方向に力が発生するように磁場を印加する磁性体を含む。【選択図】図４
2006294254.tif 000002
【特許請求の範囲】
【請求項１】
印刷回路基板、前記印刷回路基板の両面に形成されたトラッキング回路パターン、前記印刷回路基板の両面に形成されたフォーカシング回路パターン、前記印刷回路基板の両面に形成されたフォーカシング回路パターン及びトラッキング回路パターンをそれぞれ連結するためのバイアホール、対物レンズ取付部、及び前記回路パターンに連結されて電源供給する接続パッドを含むボビンと、
前記フォーカシング回路パターン及びトラッキング回路パターンに電源を供給するワイヤと、
前記ワイヤを支持するホルダーと、及び
前記印刷回路基板のフォーカシング回路パターンにはフォーカシング方向に、前記トラッキング回路パターンにはトラッキング方向に力が発生するように磁場を印加する磁性体を含む光ピックアップアクチュエータ。
【請求項２】
前記トラッキング回路パターンはトラッキング方向の軸に巻かれたソレノイドタイプで形成されたことを特徴とする請求項１記載の光ピックアップアクチュエータ。
【請求項３】
前記トラッキング回路パターンは、前記対物レンズ取付部の両側に形成されたことを特徴とする請求項１記載の光ピックアップアクチュエータ。
【請求項４】
前記トラッキング回路パターンは、前記対物レンズ取付部の一側に形成されたことを特徴とする請求項１記載の光ピックアップアクチュエータ。
【請求項５】
前記トラッキング回路パターンは、トラッキング方向と垂直方向の軸に巻かれたソレノイドタイプで形成されたことを特徴とする請求項１記載の光ピックアップアクチュエータ。
【請求項６】
前記トラッキング回路パターンは、前記対物レンズ取付部の両側に形成されたことを特徴とする請求項５記載の光ピックアップアクチュエータ。
【請求項７】
前記トラッキング回路パターンは、前記対物レンズ取付部の一側に形成されたことを特徴とする請求項５記載の光ピックアップアクチュエータ。
【請求項８】
前記フォーカシング回路パターンは、フォーカシング方向の軸に巻かれた螺旋タイプで形成されたことを特徴とする請求項１記載の光ピックアップアクチュエータ。
【請求項９】
前記フォーカシング回路パターンは、トラッキング方向と垂直方向の軸に巻かれたソレノイドタイプで形成されたことを特徴とする請求項１記載の光ピックアップアクチュエータ。
【請求項１０】
前記フォーカシング回路パターンは、前記トラッキング回路パターンの外側に形成されたことを特徴とする請求項１記載の光ピックアップアクチュエータ。
【請求項１１】
前記対物レンズ取付部は、前記印刷回路基板の中央に形成されたことを特徴とする請求項１記載の光ピックアップアクチュエータ。
【請求項１２】
前記磁性体は、トラッキング方向を軸に前記印刷回路基板の両側に配置された板状の永久磁石であることを特徴とする請求項１記載の光ピックアップアクチュエータ。
【請求項１３】
前記磁性体は、前記印刷回路基板のフォーカシング回路パターンに電流が流れる際フォーカシング方向の力が加えられるように分極されたことを特徴とする請求項１記載の光ピックアップアクチュエータ。
【請求項１４】
前記磁性体は、前記印刷回路基板のトラッキング回路パターンに電流が流れる際トラッキング方向の力が加えられるように分極されたことを特徴とする請求項１記載の光ピックアップアクチュエータ。
【請求項１５】
前記磁性体は、前記印刷回路基板の一側に配置されたことを特徴とする請求項１記載の光ピックアップアクチュエータ。
【請求項１６】
前記磁性体は、それぞれＮ極及びＳ極に分極された板状の６つの小型磁性体で構成されたことを特徴とする請求項１５記載の光ピックアップアクチュエータ。
【請求項１７】
前記ワイヤは、所定の弾性を持つことを特徴とする請求項１記載の光ピックアップアクチュエータ。
【請求項１８】
前記ワイヤは、４本であることを特徴とする請求項１記載の光ピックアップアクチュエータ。
【請求項１９】
前記印刷回路基板の材質は、ＦＲ４、ＢＴ樹脂及びポリイミドのいずれか一つであることを特徴とする請求項１記載の光ピックアップアクチュエータ用ボビン。
【請求項２０】
印刷回路基板にトラッキング回路パターン及びフォーカシング回路パターンを電気的に接続するためのバイアホール及び対物レンズ取付用ホールを加工する工程と、
前記印刷回路基板の両面及び前記バイアホール内壁を電解銅めっきする工程と、
前記印刷回路基板の両面にトラッキング回路パターン及びフォーカシング回路パターンを含むエッチングレジストパターンを形成する工程と、
前記印刷回路基板をエッチングする工程と、
前記印刷回路基板の両面にソルダーレジストパターンを形成する工程と、及び
前記印刷回路基板をボビン大きさに切断する工程を含むことを特徴とする光ピックアップアクチュエータ用ボビンの作製方法。
【請求項２１】
前記エッチングレジストパターンを形成する工程は、前記銅張積層板の両面に感光性フィルムを貼り付ける工程と、及び
前記銅張積層板の両面を露光及び現像する工程を含むことを特徴とする請求項２０記載の光ピックアップアクチュエータ用ボビンの作製方法。
【請求項２２】
ソルダーレジストパターンを形成する工程は、前記銅張積層板にソルダーレジストを塗布する工程と、及び
前記ソルダーレジストのうち、電源供給用接続パッド部分のソルダーレジストを除去する工程を含むことを特徴とする請求項２０に記載の光ピックアップアクチュエータ用ボビンの作製方法。
【請求項２３】
前記印刷回路基板の材質は、ＦＲ４、ＢＴ樹脂及びポリイミドのいずれか一つを使用することを特徴とする請求項２０記載の光ピックアップアクチュエータ用ボビンの作製方法。
【請求項２４】
アクチュエータ上に移動可能なように実装され、印刷回路基板で構成されたボビンと、
前記印刷回路基板の両面に形成された多数のトラッキング回路パターンと、
前記印刷回路基板の両面に形成された多数のフォーカシング回路パターンと、
前記トラッキング回路パターン及び前記フォーカシング回路パターンを連結させるための導電部を持ち、前記印刷回路基板上に形成された多数のバイアホールと、
前記印刷回路基板上に形成された対物レンズと、及び
前記多数のトラッキング回路パターン及びフォーカシング回路パターンに電源を供給するための接続パッドを含むことを特徴とするディスクプレーヤー。
【請求項２５】
ホルダ及び電源ソースを持つ光ピックアップアクチュエータ用ボビンであって、印刷回路基板と、
前記印刷回路基板の両面上に形成された１対のトラッキング回路パターンと、
前記トラッキング回路パターンを電気的に連結するために前記印刷回路基板の厚さ方向に形成された第１導電層と、
前記印刷回路基板の両面上に形成された１対のフォーカシング回路パターンと、及び
前記フォーカシング回路パターンを電気的に連結するために前記印刷回路基板上に形成された第２導電層を含むことを特徴とする光ピックアップアクチュエータ用ボビン。
【請求項２６】
前記ホルダに連結されて前記印刷回路基板を弾力的に支持し、前記電源ソースを前記第１電極部及び前記第２電極部を通じて前記トラッキング回路パターン及び前記フォーカシング回路パターンに電気的に接続させるワイヤ部をさらに含むことを特徴とする請求項２５記載の光ピックアップアクチュエータ用ボビン。
【請求項２７】
前記第１導電層は前記トラッキング回路パターンの該当領域に配置されることを特徴とする請求項２５記載の光ピックアップアクチュエータ用ボビン。
【請求項２８】
前記第１及び第２導電層は互に平行であることを特徴とする請求項２５記載の光ピックアップアクチュエータ用ボビン。
【請求項２９】
前記第１及び第２導電層は、前記印刷回路基板の厚さと同じ長さを持つことを特徴とする請求項２５記載の光ピックアップアクチュエータ用ボビン。
【請求項３０】
前記印刷回路基板の両面は所定の距離ほど隔たっており、前記第１及び第２導電層の長さは前記所定の距離と同じであることを特徴とする請求項２５記載の光ピックアップアクチュエータ用ボビン。
【請求項３１】
前記印刷回路基板上に形成された第１及び第２導電層は、前記第１及び第２バイアホールに配置されることを特徴とする請求項２５記載の光ピックアップアクチュエータ用ボビン。
【請求項３２】
前記印刷回路基板の両面上に形成された１対の第２フォーカシング回路パターンと、及び
前記印刷回路基板の厚さ方向に配置されて前記第２フォーカシング回路パターンを電気的に接続させる第３導電層をさらに含むことを特徴とする請求項２５記載の光ピックアップアクチュエータ用ボビン。
【請求項３３】
ホルダ及び電源ソースを持つ光ピックアップアクチュエータを装着したディスクプレーヤーであって、印刷回路基板と、
前記印刷回路基板の両面に形成された１対のトラッキング回路パターンと、
前記印刷回路基板の厚さ方向に配置されて前記トラッキング回路パターンを電気的に連結させる第１導電層と、
前記印刷回路基板の両面に形成された１対のフォーカシング回路パターンと、
前記印刷回路基板の厚さ方向に配置されて前記フォーカシング回路パターンを電気的に連結させる第２導電層と、
前記ホルダに連結されて前記印刷回路基板を弾力的に支持し、前記電源ソースを前記第１電極部及び前記第２電極部を通じて前記トラッキング回路パターン及び前記フォーカシング回路パターンに電気的に接続させるワイヤ部と、及び
前記印刷回路基板の一側に配置されて前記トラッキング回路パターン及び第１導電層を通じて流れる第１電流の方向に沿って前記トラッキング回路パターンにはトラッキング方向に、また、前記フォーカシング回路パターンを通じて流れる第２電流の方向に沿って前記フォーカシング回路パターンにはフォーカシング方向にそれぞれ力を発生させるための磁場を形成する磁性体を含むことを特徴とする光ピックアップアクチュエータを装着したディスクプレーヤー。
【請求項３４】
ホルダ及び電源ソースを持つディスクプレーヤーの光ピックアップアクチュエータ用ボビンであって、厚さ方向に形成された第１及び第２バイアホールを持つ印刷回路基板;
前記印刷回路基板の両面上に形成された１対のトラッキング回路パターンと、
前記第１バイアホール内に配置されて前記トラッキング回路パターンを電気的に連結させるための第１導電層と、
前記印刷回路基板の両面上に形成された１対のフォーカシング回路パターンと、及び
前記第２バイアホール内に配置されて前記フォーカシング回路パターンを電気的に連結させるための第２導電層を含むことを特徴とする光ピックアップアクチュエータ用ボビン。
【請求項３５】
ホルダ及び電源ソースを持つ光ピックアップアクチュエータを装着したディスクプレーヤーであって、厚さ方向に形成された第１及び第２バイアホールを持つ印刷回路基板;
前記印刷回路基板の両面に形成された１対のトラッキング回路パターンと、
前記第１バイアホール内に配置されて前記トラッキング回路パターンを電気的に連結させるための第１導電層と、
前記印刷回路基板の両面に形成された１対のフォーカシング回路パターンと、
前記第２バイアホール内に配置されて前記フォーカシング回路パターンを電気的に連結させるための第２導電層と、
前記ホルダに固定にされて前記印刷回路基板を弾力的に支持し、前記電源ソースを前記第１及び第２導電層を通じて前記トラッキング回路パターン及び前記フォーカシング回路パターンに電気的に連結させるワイヤ部と、及び
前記印刷回路基板の一側に配置されて前記トラッキング回路パターン及び第１導電層を通じて流れる第１電流の方向に沿って前記トラッキング回路パターンにはトラッキング方向に、また、前記フォーカシング回路パターンを通じて流れる第２電流の方向に沿って前記フォーカシング回路パターンにはフォーカシング方向にそれぞれ力を発生させるための磁場を形成する磁性体を含むことを特徴とする光ピックアップアクチュエータを装着したディスクプレーヤー。
【請求項３６】
ホルダ及び電源ソースを持つディスクプレーヤーの光ピックアップアクチュエータ用ボビンであって、厚さ方向に形成されたバイアホールを持つ印刷回路基板と、
前記印刷回路基板の両面上に形成された１対のトラッキング回路パターンと、及び
前記バイアホール内に配置されて前記トラッキング回路パターンを電気的に連結させる導電層を含むことを特徴とするディスクプレーヤーの光ピックアップアクチュエータ用ボビン。
【請求項３７】
ホルダ及び電源ソースを持つ光ピックアップアクチュエータを装着したディスクプレーヤーであって、厚さ方向に形成されたバイアホールを持つ印刷回路基板と、
前記ホルダに固定にされて前記印刷回路基板を弾力的に支持する支持部と、
前記印刷回路基板の両面に形成されて前記電源ソースに電気的に連結される１対のトラッキング回路パターンと、
前記バイアホール内に配置されて前記トラッキング回路パターンを電気的に連結させる導電層と、及び
前記導電層に流れる電流の方向に沿って前記印刷回路基板に磁気力が発生するように磁場を発生させる磁性体を含むことを特徴とする光ピックアップアクチュエータを装着したディスクプレーヤー。
【請求項３８】
ホルダ及び電源ソースを持つディスクプレーヤーの光ピックアップアクチュエータ用ボビンであって、前記ホルダに弾力的に支持される印刷回路基板と、
前記印刷回路基板の両面に形成されて前記電源ソースに電気的に連結される１対のトラッキング回路パターンと、及び
前記印刷回路基板の厚さ方向に配置されて前記トラッキング回路パターンに電気的に連結される導電層を含むことを特徴とするディスクプレーヤーの光ピックアップアクチュエータ用ボビン。
【請求項３９】
前記トラッキング回路パターン及び前記導電層は、前記第１方向及び前記印刷回路基板の両面に垂直となる平面を形成することを特徴とする請求項３８記載のディスクプレーヤーの光ピックアップアクチュエータ用ボビン。
【請求項４０】
前記印刷回路基板の両面のうち少なくとも一面上に形成され、前記両面のうち少なくとも一つに平行となるように配置され、前記電源ソースに連結され、前記導電層及び前記第１方向に垂直に配置された少なくとも一つの下位パターンを持つフォーカシング回路パターンをさらに含むことを特徴とする請求項３８記載のディスクプレーヤーの光ピックアップアクチュエータ用ボビン。
【請求項４１】
ホルダ及び電源ソースを持つ光ピックアップアクチュエータを装着したディスクプレーヤーであって、前記ホルダに弾力的に支持される印刷回路基板と、
前記印刷回路基板の両面上に形成され、前記電源ソースに電気的に連結される１対のトラッキング回路パターンと、
前記印刷回路基板の厚さ方向に配置され、前記トラッキング回路パターンに電気的に連結される導電層と、及び
前記導電層に流れる電流の方向に沿って前記印刷回路基板上にトラッキング方向に磁気力が発生されるように磁場を形成する磁性体を含むことを特徴とする光ピックアップアクチュエータを装着したディスクプレーヤー。
【請求項４２】
前記トラッキング回路パターン及び前記導電層は、前記第１方向及び前記印刷回路基板に垂直となる平面を形成することを特徴とする請求項４１記載の光ピックアップアクチュエータを装着したディスクプレーヤー。
【請求項４３】
前記印刷回路基板の両面のうち少なくとも一面上に形成され、前記電源ソースに連結され、前記導電層及び前記第１方向に垂直となるように配置された少なくとも一つの下位パターンを持つフォーカシング回路パターンをさらに含むことを特徴とする請求項４１記載の光ピックアップアクチュエータを装着したディスクプレーヤー。
【発明の詳細な説明】
【技術分野】
【０００１】
本発明は、巻線コイルが一体化されたボビン、これを採用した光ピックアップアクチュエータ及びこの光ピックアップアクチュエータ用ボビンの作製方法に関し、さらに詳細には、光ピックアップアクチュエータモジュール構成部品のうち、フォーカス方向及びディスクのトラック方向の正確な位置に移動させる役割をする巻線コイルが印刷回路基板技術により一体化されたボビン、これを採用した光ピックアップアクチュエータ及びこの光ピックアップアクチュエータ用ボビンの作製方法に関する。
【背景技術】
【０００２】
図１に、従来の光ピックアップ装置の概略的な構造を示す。一般に、従来の光ピックアップ装置１０は、図１に示すように、光ドライバのデッキパネル１に設けられた主軸３と副軸５に組み立てられて軸方向に沿って往復運動しながら各種光ディスク(Ｄ)に書き込まれている信号を再生したり、光ディスクに信号を記録する装置であって、主軸３と副軸５に結合されて軸方向に沿って往復運動するベース３０と、該ベース３０の上面に設置され、ベース３０とともに移動しながら入射されるビームを集めて光ディスクの一点に集束させるアクチュエータ２０と、で構成される。
【０００３】
図２は、従来の光ピックアップ装置におけるアクチュエータの分離斜視図である。図２に示すように、従来のアクチュエータ２０において上面に対物レンズ２１が設けられたボビン２２は、フォーカシング方向(すなわち、上下方向)とトラッキング方向(すなわち左右方向)に微細に移動できるように銅線からなるフォーカシングコイル２３とトラッキングコイル２４が巻かれており、これらコイルの周囲には電磁気力を発生させる磁性体２７とヨーク２８が備えられる。
【０００４】
また、ボビン２２は、トラッキング方向に対して水平に延びるワイヤ２５を介してワイヤホルダー２６に弾性的に支持される。すなわち、ボビン２２の両側にはワイヤ２５の一端がハンダ付けされ、このワイヤ２５の他端はワイヤホルダー２６に固定されるので、ワイヤ２５の弾性力によりボビン２２が上下左右に微細に移動する。
【０００５】
このように構成されたアクチュエータ２０は、ワイヤ２５を介してそれぞれのコイルに電源が印加されると、電磁気力により対物レンズ２１がフォーカシングまたはトラッキング方向に移動することになる。
韓国特許公開２００２−００４９３９８及び１９９９−００２４４９８では、上記のような巻線コイルを利用した光ピックアプ用アクチュエータモジュールが開示されている。
【０００６】
巻線コイルを利用したアクチュエータモジュールは従来から使用されてきた技術であり、ローレンツ力の原理に基づいてボビンを動かすが、このローレンツ力の原理のためには巻線コイルが必要である。銅線からなる巻線コイルに電流が流れ、コイル前部に位置した永久磁石の磁場によりローレンツ力が発生することでボビンが上下・左右に移動できるのである。この時、上下・左右の動きを別途に調整するために数個の巻線コイルを永久磁石と共に配置する。
【０００７】
ところで、産業の高度化に伴って電子製品においても小型化が進みつつあり、市場でも小型で薄型の電子製品に適用可能なアクチュエータを要求している現状である。しかし、既存のアクチュエータモジュールは巻線コイルがボビンの側面に位置するように巻かれていることや、必要な感度を得るためには所定の大きさ以上の巻線コイルが必要なことから、電子製品の小型化に足をそろえるには限界があった。しかも、多数の部品を組立てなければならないため、工程が複雑になり、その分、不良率も高くなるという問題点があった。
【０００８】
また、従来の巻線コイルでは、巻線コイルの銅線が頻繁に切れてしまうという問題点があった。また、アクチュエータの小型化の要求に応えて体積を縮めるためにコイルの配置にしたがって複雑な分極を持つ永久磁石を使用しなければならず、このような永久磁石の作製には、高難度の技術と追加のコストが要求される。
【０００９】
【特許文献１】韓国特許公開公報第２００２−００４９３９８号
【特許文献２】韓国特許公開公報第１９９９−００２４４９８号
【発明の開示】
【発明が解決しようとする課題】
【００１０】
本発明の目的は、印刷回路基板製造技術を用いて従来のボビンと巻線コイルを一体化することによって、構成部品の数及び重量を大幅に減少させた、巻線コイルが一体化されたボビンを提供することにある。
【００１１】
本発明の他の目的は、ボビンが軽いためにレンズを上下・左右方向に動かす感度が巻線コイルよりも優れた、印刷回路基板技術を用いて作製したボビンを提供することにある。本発明のさらに他の目的は、巻線コイルと一体化されたボビンにレンズ取付及びワイヤ取付工程だけでアクチュエータモジュールの製作を完了することによって、製造工程数及び単価を大幅に減らすことにある。
【００１２】
本発明のさらに他の目的は、別途取り付けられる巻線コイルによりそれ以上ボビンの厚さを縮められなかった従来の問題点を解決するために、巻線コイルとボビンを一体化させて印刷回路基板を水平に使用可能にし、結果として、ボビンの厚さを著しく縮め、電子製品の小型化に応えられる薄型の光ピックアップ装置用アクチュエータを提供することにある。
【００１３】
本発明のさらに他の目的は、フォーカス駆動コイルは螺旋タイプを、トラック駆動コイルはソレノイドタイプを使用することによって、ボビン位置に従う分極が不要な磁石を使用できる、巻線コイルが一体化されたボビンを提供することにある。
【課題を解決するための手段】
【００１４】
本発明に係る巻線コイルが一体化されたボビンでは、印刷回路基板技術を用いてボビンを上下・左右に動かす巻線コイルを、印刷回路基板上に形成された回路パターン及びバイアホールに取り替え、ボビンは、前記回路パターン及びバイアホールに磁場を形成することによってフレミングの左手法則により発生するローレンツ力によって動くようにする。この時、ボビンをフォーカシング方向に動かすフォーカシング回路パターンは螺旋タイプ（ｓｐｉｒａｌ  ｔｙｐｅ）にし、ボビンをトラッキング方向に動かすトラッキング回路パターンはソレノイドタイプ（ｓｏｌｅｎｏｉｄ  ｔｙｐｅ）にする。
【００１５】
本発明に係る光ピックアップアクチュエータ用ボビンは、印刷回路基板と、前記印刷回路基板の両面に形成されたトラッキング回路パターンと、前記印刷回路基板の両面に形成されたフォーカシング回路パターンと、前記両面に形成されたトラッキング回路パターン及びフォーカシング回路パターンをそれぞれ連結するためのバイアホールと、前記印刷回路基板に形成された対物レンズ取付部と、及び、前記回路パターンに電源を供給するための接続パッドを含む。
【００１６】
本発明に係る光ピックアップアクチュエータは、印刷回路基板、前記印刷回路基板の両面に形成されたトラッキング回路パターン、前記印刷回路基板の両面に形成されたフォーカシング回路パターン、前記印刷回路基板の両面に形成されたフォーカシング回路パターン及びトラッキング回路パターンをそれぞれ連結するためのバイアホール、対物レンズ取付部、及び前記回路パターンに連結されて電源供を給用する接続パッドを含むボビンと、
前記フォーカシング回路パターン及びトラッキング回路パターンに電源を供給するワイヤと、前記ワイヤを支持するホルダーと、及び、前記印刷回路基板のフォーカシング回路パターンにはフォーカシング方向に、前記トラッキング回路パターンにはトラッキング方向に力が発生するように磁場を印加する磁性体を含む。
【００１７】
本発明に係る光ピックアップアクチュエータ用ボビンの製造方法は、印刷回路基板にトラッキング回路パターン及びフォーカシング回路パターンを電気的に接続するためのバイアホール及び対物レンズ取付用ホールを加工する工程と、前記印刷回路基板の両面及び前記バイアホール内壁を電解銅めっきする工程と、前記印刷回路基板の両面にトラッキング回路パターン及びフォーカシング回路パターンを含むエッチングレジストパターンを形成する工程と、前記印刷回路基板をエッチングする工程と、前記印刷回路基板の両面にソルダーレジストパターンを形成する工程と、及び、前記印刷回路基板をボビン大きさに切断する工程を含む。
【００１８】
また、本発明に係るディスクプレーヤーは、アクチュエータ上に移動可能なように実装され、印刷回路基板で構成されたボビンと、前記印刷回路基板の両面に形成された多数のトラッキング回路パターンと、前記印刷回路基板の両面に形成された多数のフォーカシング回路パターンと、前記トラッキング回路パターン及び前記フォーカシング回路パターンを連結させるための導電部を持ち、前記印刷回路基板上に形成された多数のバイアホールと、前記印刷回路基板上に形成された対物レンズと、及び、前記多数のトラッキング回路パターン及びフォーカシング回路パターンに電源を供給するための接続パッドを含むことを特徴とする。
【００１９】
また、本発明に係る、ホルダ及び電源ソースを持つ光ピックアップアクチュエータ用ボビンは、印刷回路基板と、前記印刷回路基板の両面上に形成された１対のトラッキング回路パターンと、前記トラッキング回路パターンを電気的に連結するために前記印刷回路基板の厚さ方向に形成された第１電気接続部と、前記印刷回路基板の両面上に形成された１対のフォーカシング回路パターンと、及び、前記フォーカシング回路パターンを電気的に連結するために前記印刷回路基板上に形成された第２電気接続部を含むことを特徴とする。
【００２０】
また、本発明に係る、ホルダ及び電源ソースを持つ光ピックアップアクチュエータを装着したディスクプレーヤーは、印刷回路基板と、前記印刷回路基板の両面に形成された１対のトラッキング回路パターンと、前記印刷回路基板の厚さ方向に配置されて前記トラッキング回路パターンを電気的に連結させる第１電気接続部と、前記印刷回路基板の両面に形成された１対のフォーカシング回路パターンと、前記印刷回路基板の厚さ方向に配置されて前記フォーカシング回路パターンを電気的に連結させる第２電気接続部と、前記ホルダに連結されて前記印刷回路基板を弾力的に支持し、前記電源ソースを前記第１電極部及び前記第２電極部を通じて前記トラッキング回路パターン及び前記フォーカシング回路パターンに電気的に接続させるワイヤ部と、及び、前記印刷回路基板の一側に配置されて前記トラッキング回路パターン及び第１電気接続部を通じて流れる第１電流の方向に沿って前記トラッキング回路パターンにはトラッキング方向に、また、前記フォーカシング回路パターンを通じて流れる第２電流の方向に沿って前記フォーカシング回路パターンにはフォーカシング方向にそれぞれ力を発生させるための磁場を形成する磁性体を含むことを特徴とする。
【００２１】
また、本発明に係る、ホルダ及び電源ソースを持つディスクプレーヤーの光ピックアップアクチュエータ用ボビンは、厚さ方向に形成された第１及び第２バイアホールを持つ印刷回路基板と、前記印刷回路基板の両面上に形成された１対のトラッキング回路パターンと、前記第１バイアホール内に配置されて前記トラッキング回路パターンを電気的に連結させるための第１電気接続部と、前記印刷回路基板の両面上に形成された１対のフォーカシング回路パターンと、及び、前記第２バイアホール内に配置されて前記フォーカシング回路パターンを電気的に連結させるための第２電気接続部を含むことを特徴とする。
【００２２】
発明に係る、ホルダ及び電源ソースを持つ光ピックアップアクチュエータを装着したディスクプレーヤーは、厚さ方向に形成された第１及び第２バイアホールを持つ印刷回路基板と、前記印刷回路基板の両面に形成された１対のトラッキング回路パターンと、前記第１バイアホール内に配置されて前記トラッキング回路パターンを電気的に連結させるための第１電気接続部と、前記印刷回路基板の両面に形成された１対のフォーカシング回路パターンと、前記第２バイアホール内に配置されて前記フォーカシング回路パターンを電気的に連結させるための第２電気接続部と、前記ホルダに固定にされて前記印刷回路基板を弾力的に支持し、前記電源ソースを前記第１及び第２電気接続部を通じて前記トラッキング回路パターン及び前記フォーカシング回路パターンに電気的に連結させるワイヤ部と、及び、前記印刷回路基板の一側に配置されて前記トラッキング回路パターン及び第１電気接続部を通じて流れる第１電流の方向に沿って前記トラッキング回路パターンにはトラッキング方向に、また、前記フォーカシング回路パターンを通じて流れる第２電流の方向に沿って前記フォーカシング回路パターンにはフォーカシング方向に力を発生させるための磁場を形成する磁性体を含むことを特徴とする。
【００２３】
本発明に係る、ホルダ及び電源ソースを持つディスクプレーヤーの光ピックアップアクチュエータ用ボビンは、厚さ方向に形成されたバイアホールを持つ印刷回路基板;前記印刷回路基板の両面上に形成された１対のトラッキング回路パターンと、及び、前記バイアホール内に配置されて前記トラッキング回路パターンを電気的に連結させる電気接続部を含むことを特徴とする。
【００２４】
本発明に係る、ホルダ及び電源ソースを持つ光ピックアップアクチュエータを装着したディスクプレーヤーは、厚さ方向に形成されたバイアホールを持つ印刷回路基板;前記ホルダに固定にされて前記印刷回路基板を弾力的に支持する支持部と、前記印刷回路基板の両面に形成されて前記電源ソースに電気的に連結される１対のトラッキング回路パターンと、前記バイアホール内に配置されて前記トラッキング回路パターンを電気的に連結させる電気接続部と、及び、前記電気接続部に流れる電流の方向に沿って前記印刷回路基板に磁気力が発生するように磁場を発生させる磁性体を含むことを特徴とする。
【００２５】
本発明に係る、ホルダ及び電源ソースを持つディスクプレーヤーの光ピックアップアクチュエータ用ボビンは、前記ホルダに弾力的に支持される印刷回路基板と、前記印刷回路基板の両面に形成されて前記電源ソースに電気的に連結される１対のトラッキング回路パターンと、及び、前記印刷回路基板の厚さ方向に配置されて前記トラッキング回路パターンに電気的に連結される電気接続部を含むことを特徴とする。
【００２６】
本発明に係る、ホルダ及び電源ソースを持つ光ピックアップアクチュエータを装着したディスクプレーヤーは、前記ホルダに弾力的に支持される印刷回路基板と、前記印刷回路基板の両面上に形成され、前記電源ソースに電気的に連結される１対のトラッキング回路パターンと、前記印刷回路基板の厚さ方向に配置され、前記トラッキング回路パターンに電気的に連結される電気接続部と、及び、前記電気接続部に流れる電流の方向に沿って前記印刷回路基板上にトラッキング方向に磁気力が発生されるように磁場を形成する磁性体を含むことを特徴とする。
【発明の効果】
【００２７】
本発明に係る巻線コイルが一体化されたボビンは、従来のボビンと巻線コイルを一体化したものであり、構成部品の数及びボビンの重量が大幅に減少する。したがって、ボビンが軽いのでレンズをトラック方向及びフォーカス方向に動かす感度が巻線コイルに比べて良好になり、また、部品数が減少するので製造単価が節減される。
【００２８】
また、巻線コイルを別途付着する従来のボビンは、ボビンだけでなく、ボビンのための金型、巻線コイル、巻線コイルワインティング、レンズ取付、ワイヤハンダ付けなどの多くの部品及び製造工程を必要としたが、本発明に係る巻線コイルが一体化されたボビンは、レンズ取付、ワイヤ取付の工程だけでアクチュエータモジュールの作製が完了するので、製造工程及び単価を大幅に節減することができる。
【００２９】
本発明において、フォーカシング回路パターンは螺旋タイプを、トラッキング回路パターンはソレノイドタイプを使用する場合には、ボビン位置に従う分極のない磁石を使用することができる。従来のボビンは、巻線コイルのためにその厚さをそれ以上減少し難かったが、本発明に係る巻線コイルが一体化されたボビンでは、印刷回路基板を水平に使用するのでボビンの厚さを著しく減少させることができる。したがって、電子製品の小型化に伴う薄型のアクチュエータ提供という要求に応えることができる。
【００３０】
本発明に係る巻線コイルが一体化されたボビンでは、従来の巻線コイルで頻繁に発生してきた銅線切れを解消し、完成品における不良率を最小限に抑えることができる。また、本発明の巻線コイルが一体化されたボビンは、最終の外形加工前に電気的短絡検事を通じて、回路形成された状態における不良を完全に検出することができる。
【００３１】
巻線コイルを別途に巻いてなる従来のボビンの厚さ（約５．０ｍｍ）は巻線コイルのためにそれ以上減少し難かったが、本発明に係る巻線コイルが一体化されたボビンは、永久磁石の分極領域以上（０．４〜０．６ｍｍ）だけボビン厚を確保すればいいので、電子製品の小型化に伴う薄型のアクチュエータ提供という要求に応えることができる。
【発明を実施するための最良の形態】
【００３２】
以下、添付図面を参照しつつ本発明をさらに詳細に説明する。図３には、ディスク書込及び／または読出装置に使用される印刷回路基板を用いて巻線コイルを一体化した、本発明の第１実施例によるボビンの概略図を示す。
【００３３】
印刷回路基板３０１の中心部には対物レンズが取り付けられる対物レンズ取付け部３０４が形成されており、該対物レンズ取付部３０４を中心に、両側には印刷回路基板３０１をトラック方向に駆動するための第１及び第２トラッキング回路パターン３０２ａ、３０２ｂが対称形成されており、その外側に印刷回路基板３０１をフォーカス方向に駆動するための第１及び第２フォーカシング回路パターン３０３ａ、３０３ｂが対称形成されている。
【００３４】
第１及び第２トラッキング回路パターン３０２ａ、３０２ｂは、トラック方向の仮想の軸を中心に巻かれたコイルの形となるようにし、第１及び第２フォーカシング回路パターン３０３ａ、３０３ｂは、フォーカス方向の仮想の軸を中心に巻かれたコイルの形となるようにする。すなわち、第１及び第２トラッキング回路パターン３０２ａ、３０２ｂはトラック方向の軸を持つ一種のソレノイドタイプのコイル形態とし、第１及び第２フォーカシング回路パターン３０３ａ、３０３ｂはフォーカス方向の軸を持つ螺旋タイプのコイル形態にする。
【００３５】
印刷回路基板３０１の背面にも同様に、図３に示した第１及び第２トラッキング回路パターン３０２ａ、３０２ｂと第１及び第２フォーカシング回路パターン３０３ａ、３０３ｂがそれぞれ形成される。
【００３６】
図３に示した第１及び第２トラッキング回路パターン３０２ａ、３０２ｂの両端にはバイアホール３０６ｃ、３０６ｄがそれぞれ形成されて印刷回路基板３０１の背面のトラッキング回路パターン（図示せず）と電気的に接続される。第１及び第２フォーカシング回路パターン３０３ａ、３０３ｂの中心点にはバイアホール３０６ａ、３０６ｂがそれぞれ形成されて印刷回路基板３０１の背面のフォーカシング回路パターン（図示せず）と電気的に接続される。
【００３７】
磁石の周辺には磁場が発生するが、磁場内に置かれた導線（コイル）に電流を流すと、電流が流れる導線はフレミングの左手法則により下記に示すようなローレンツの力を受けることになる。F=B I l sinθ (N)。  ここで、Ｆはローレンツの力（Ｎ）、Ｂは磁気密度（Ｗｂ／ｍ２またはＴ）、Ｉは電流の大きさ（Ａ）、ｌは磁場に含まれる導線の長さ（ｍ）、θは磁場の方向と電流の方向がなす角である。
【００３８】
導線が受ける力の方向は、電流及び磁場の方向がなす平面に垂直であり、電流または磁場の方向が反対になると導線が受ける力の方向も反対となる。この原理に基づいてアクチュエータを駆動することになるが、電流の方向がお互い反対である２つの導線が近接していると、ローレンツ力がお互い相殺され消滅してしまうので、感度が弱くなる。したがって、ローレンツ力を消滅させないためにはコイルにおいて電流の方向がお互い反対である２つの領域にはお互い反対方向の磁場をかける必要がある。
【００３９】
図４は、図３に示した巻線コイルが一体化されたボビンの両端に永久磁石３０８ａ、３０８ｂを配置し、ワイヤ３０７ａ、３０７ｂ、３０７ｃ、３０７ｄを介して電流を供給する時、磁場の方向、電流の方向及びそれによって発生するローレンツ力の方向を説明するための概略図である。
【００４０】
図４に示すように、図３の巻線コイルが一体化されたボビンに永久磁石を配置して磁場をかけ、電源供給のためのワイヤを連結し、ホルダー（図示せず）を連結すると、光ピックアップアクチュエータが完成される。図４で、Ｆ、Ｂ、Ｉはそれぞれ力、磁場、電流を示す。
【００４１】
図５ａは、図４に示したボビン３００及び永久磁石３０８ａ、３０８ｂの平面図であり、図５ｂは図５ａのボビン３００をＸ−Ｘ’に沿って切断した断面図である。図４ないし図５ｂを参照すれば、前述したように本発明の第１及び第２トラッキング回路パターン３０２ａ、３０２ｂはソレノイドタイプのコイル形態で構成され、第１及び第２フォーカシング回路パターン３０３ａ、３０３ｂは螺旋タイプのコイル形態で構成される。
【００４２】
ボビン３００の両端に薄板状の永久磁石３０８ａ、３０８ｂを配置すると、ボビン３００の両端に、２つの永久磁石３０８ａ、３０８ｂの中心に向け、殆ど一定な大きさを有する磁場が形成される。２つの永久磁石３０８ａ、３０８ｂの中間地点には磁場が相殺され略０となる。
【００４３】
第１及び第２トラッキング回路パターン３０２ａ、３０２ｂはそれぞれ、その印刷回路基板の背面に形成された同じ回路パターンとバイアホール３０６ｃ、３０６ｄの内壁上に形成された導電層を介して電気的に接続され、第１及び第２フォーカシング回路パターン３０３ａ、３０３ｂもそれぞれ、その印刷回路基板の背面に形成された同じ回路パターンとバイアホール３０６ａ、３０６ｂの内壁上に形成された導電層を介して電気的に接続される。第１及び第２トラッキング回路パターン３０２ａ、３０２ｂは点線で表示したａ、ｂ、ｃ、ｄの四角形をなし、このうち、図３には上面に配置されたａ部分の回路パターンだけを示した。
【００４４】
ワイヤ３０７ａ、３０７ｂ、３０７ｃ、３０７ｄに電流が図４のように流れると仮定すれば、第１トラッキング回路パターン３０２ａのｂ部分では、永久磁石３０８ａよりも永久磁石３０８ｂに近接しているので、永久磁石３０８ａによる磁場よりも永久磁石３０８ｂにより形成された磁場の影響をさらに多く受け、電流の方向と磁場の方向を考慮すると、結果的にボビン３００を矢印３１０方向に押す力が発生する。
【００４５】
第１トラッキング回路パターン３０２ａのｄ部分は、永久磁石３０８ｂよりも永久磁石３０８ａに近接しているので、永久磁石３０８ｂによる磁場よりも永久磁石３０８ａにより形成された磁場の影響をさらに多く受け、電流の方向と磁場の方向を考慮すると、結果的にｂ部分と同様にボビン３００を矢印３１０方向に押す力が発生する。第１トラッキング回路パターン３０２ａのａ部分及びｃ部分は、電流方向と平行なのでローレンツの力が発生しない。
【００４６】
同様に、第２トラッキング回路パターン３０２ｂのｂ及びｄ部分ではボビンを矢印３１０方向に押す力が発生し、第２トラッキング回路パターン３０２ｂのａ部分及びｃ部分では電流方向と磁場の方向が平行なのでローレンツの力が発生しない。要するに、図４に示した方向に電流をかけた時、第１及び第２トラッキング回路パターン３０２ａ、３０２ｂによりボビン３００は矢印３１０の方向に力を受けて動くことになる。
【００４７】
第１フォーカシング回路パターン３０３ａのｂ部分では、永久磁石３０８ａよりも永久磁石３０８ｂに近接しているので、永久磁石３０８ａによる磁場よりも永久磁石３０８ｂにより形成された磁場の影響をさらに多く受け、電流の方向と磁場の方向を考慮すると、結果的にボビンを矢印３１１方向に持ち上げる力が発生する。
【００４８】
第１フォーカシング回路パターン３０３ａのｄ部分では、永久磁石３０８ｂよりも永久磁石３０８ａに近接しているので、永久磁石３０８ｂによる磁場よりも永久磁石３０８ａにより形成された磁場の影響をさらに多く受け、電流の方向と磁場の方向を考慮すると、結果的にｂ部分と同様にボビンを矢印３１１方向に持ち上げる力が発生する。第１フォーカシング回路パターン３０３ａのａ部分及びｃ部分では電流方向と磁場の方向が平行なのでローレンツの力が発生しない。
【００４９】
同様に、第２フォーカシング回路パターン３０３ｂのｂ及びｄ部分ではボビンを矢印３１１方向に持ち上げる力が発生し、第２フォーカシング回路パターン３０３ｂのａ部分及びｃ部分では電流方向と磁場の方向が平行なのでローレンツの力が発生しない。要するに、図４に示した方向に電流をかけた時、ボビン３００は第１及び第２フォーカシング回路パターン３０３ａ、３０３ｂにより矢印３１１方向に持ち上げられる。
【００５０】
ボビン３００を矢印３１０、３１１方向に移動させるためには、電流は、第１及び第２トラッキング回路パターン３０２ａ、３０２ｂのｄ部分では下方に、第１及び第２トラッキング回路パターン３０２ａ、３０２ｂでは上方に流れなければならない。
【００５１】
また、電流は、第１フォーカシング回路パターン３０３ａでは第１トラッキング回路パターン３０２ａから遠ざかる方向に流れなければならなく、第１トラッキング回路パターン３０３ａでは第１トラッキング回路パターン３０２ａ側に流れる必要がある。
【００５２】
また、電流は、第２第２フォーカシング回路パターン３０３ｂのｂ部分では第２トラッキング回路パターン３０２ｂ側に流れなければならなく、第２第２フォーカシング回路パターン３０３ｂでは第２トラッキング回路パターン３０２ｂから遠ざかる方向に流れる必要がある。
【００５３】
第１及び第２トラッキング回路パターン３０２ａ、３０２ｂは互に平行に配置され、それぞれａ、ｂ、ｃ、ｄ部分を持つ多数の直方形回路を構成する。本発明の一実施例では、四角形の回路はソレノイドタイプであり得、例えば、ａ、ｂ、ｃ、ｄ部分から形成される四角形回路はソレノイドタイプのライン形態に連結されることができる。すなわち、トラッキング方向に平行な軸に巻かれたライン形態になり得る。
【００５４】
第１トラッキング回路３０２ａの各直方形はワイヤ３０７ａ、３０７ｂに連結され、第２トラッキング回路３０２ｂの各直方形はワイヤ３０７ｃ、３０７ｄに連結され、ボビン３００を矢印３１０方向に移動させるように力を発生させるために、第１及び第２トラッキング回路パターン３０２ａ、３０２ｂの各ｄ部分の電流は下方に流れ、第１及び第２トラッキング回路パターン３０２ａ、３０２ｂの各ｂ部分の電流は上方に流れる。
【００５５】
第１トラッキング回路パターン３０２ａ及び第１フォーカシング回路パターン３０３ａは互に電気的に連結されるか、或いは、図４のワイヤ３０７ａ、３０７ｂに直接連結され、また、第２トラッキング回路パターン３０２ｂ及び第２第２フォーカシング回路パターン３０３ｂは電気的に互に連結されるか、或いは、図４のワイヤ３０７ｃ、３０７ｄに直接連結される。
【００５６】
図４ないし図５ｂで、第１及び第２フォーカシング回路パターン３０３ａ、３０３ｂは、電流の方向はお互い同一に配置するが、電流の大きさはお互い異ならせてもいい。電流の大きさを異ならせる場合、ボビン３００はフォーカス方向に対してやや傾き、このように電流の大きさを調節することによってディスクチルトを補償することができる。
【００５７】
しかし、図４ないし図５ｂの第１及び第２トラッキング回路パターン３０２ａ、３０２ｂは、チルトに影響を及ぼさないので、レンズ左右にある第１及び第２トラッキング回路パターン３０２ａ、３０２ｂに対して電流の大きさを異ならして加える必要はない。
【００５８】
したがって、２つのコイルは対称性を考慮せずに相互連結して一つのコイル形態として使用してもいい。第１及び第２フォーカシング回路パターン３０３ａ、３０３ｂは図４ないし図５ｂのように四角コイルでなく原形に設計してもいい。
【００５９】
図３ないし図５ｂに示した本発明に係る巻線コイルが一体化されたボビン３００は、多数の巻線コイルを使用しボビンの形状が非常に複雑だった図２の従来アクチュエータモジュールとは違い、印刷回路基板自体がボビンの役割をし、巻線コイルを印刷回路基板上に形成された回路パターンに代替して印刷回路基板に内蔵させているため、その構成が単純化する。
【００６０】
図４ないし図５ｂで、永久磁石３０８ａ、３０８ｂのように一面全体がＮ極、他面全体がＳ極の平板型磁石の代わりに、両面がそれぞれＮ極及びＳ極に分極された永久磁石を配置してもいい。
【００６１】
図６に、各面がＮ極及びＳ極に分極された永久磁石を使用する場合のボビン３００と永久磁石３０８ａ、３０８ｂの構成を示す。図６のように分極された永久磁石３０８ａ、３０８ｂを使用する場合には、Ｓ極により形成される磁場に影響を受ける第２トラッキング回路パターン３０２ｂ及び第２フォーカシング回路パターン３０３ｂに供給される電流の方向、つまり、ワイヤ３０７ｃ、３０７ｄを介して供給される電流の方向は、
【００６２】
図４ないし図５ｂに示した電流方向と反対になる必要がある。永久磁石の磁場方向が図６の方向と反対になると、電流の方向も反対になる必要がある。
【００６３】
図７は、本発明の第２実施例によるボビン及びその動作を説明するための図であり、第１及び第２トラッキング回路パターン７０２ａ、７０２ｂが永久磁石７０８ａ、７０８ｂに対して平行に形成されている。また、ワイヤ７０７ａ、７０７ｂ、７０７ｃ、７０７ｄを介して矢印方向に電流が供給され、この時にそれぞれ加えられる磁場の方向、電流の方向及びそれによって発生するローレンツ力の方向が示されている。第１実施例と同様に、Ｆ、Ｂ、Ｉはそれぞれ力、磁場、電流を示す。
【００６４】
第１及び第２トラッキング回路パターン７０２ａ、７０２ｂは対物レンズが実装されるボビン７００の対物レンズ取付け部７０４の両側に配置される。また、第１及び第２フォーカシング回路パターン７０３ａ、７０３ｂは対物レンズが実装されるボビン７００の対物レンズ取付け部７０４の他の両側に配置される。
【００６５】
第１及び第２トラッキング回路パターン７０２ａ、７０２ｂは、点線で表示したａ、ｂ、ｃ、ｄの四角形をなし、このうち、図７には上面に配置されたａ部分の回路パターンだけを示した。第１及び第２トラッキング回路パターン７０２ａ、７０２ｂへの電流供給は、所望の方向に力を発生させられるなら、第１及び第２フォーカシング回路パターン７０３ａ、７０３ｂと同一電源を用いてもよく、別途の電源を用いて供給してもいい。すなわち、第１及び第２トラッキング回路パターン７０２ａ、７０２ｂは第１及び第２フォーカシング回路パターン７０３ａ、７０３ｂと同電源ソースに連結されてもよく、別個の電源ソースに連結されてもいい。
【００６６】
印刷回路基板７０１の背面にも、図７に示した第１及び第２トラッキング回路パターン７０２ａ、７０２ｂと第１及び第２フォーカシング回路パターン７０３ａ、７０３ｂと同回路パターンがそれぞれ形成される。
【００６７】
図７に示した第１及び第２フォーカシング回路パターン７０３ａ、７０３ｂの中心点には、内壁に導電層が形成されたバイアホール７０６ａ、７０６ｂがそれぞれ形成されて印刷回路基板７０１の背面に形成されるフォーカシング回路パターン（図示せず）と電気的に接続される。第１及び第２トラッキング回路パターン７０２ａ、７０２ｂの両端にはバイアホール７０６ｃ、７０６ｄがそれぞれ形成されて印刷回路基板７０１の背面のトラッキング回路パターン(図示せず)と電気的に接続される。
【００６８】
図７に示すように、第１及び第２トラッキング回路パターン７０２ａ、７０２ｂに流れる電流方向がそれぞれその位置における磁場の方向と反対になると、永久磁石７０８ａ、７０８ｂは、トラッキング方向に力を発生させる回路パターン（ｂ、ｄ）の電流方向がお互い反対であることを考慮し、永久磁石を図６のような形態に分極させなければならない。
【００６９】
このように永久磁石が分極されると、トラッキング方向に力を発生させる回路パターン（ｂ、ｄ）部分のパターンに流れる電流方向がお互い反対であるにも拘わらず、ローレンツ力が矢印７１０方向に同一に作用する。
【００７０】
この時、永久磁石が分極されることによって第２フォーカシング回路パターン７０３ｂに流れる電流の方向も第１フォーカシング回路パターン７０３ａと反対になるように流す必要がある。図７の状態で、第１及び第２トラッキング回路パターン７０２ａ、７０２ｂは矢印７１０方向に力を受け、第１及び第２フォーカシング回路パターン７０３ａ、７０３ｂは矢印７１１方向に持ち上げられる力を受ける。
【００７１】
図７において、永久磁石７０８ａ、７０８ｂの代わりに、図４のような分極のない永久磁石３０８ａ、３０８ｂを使用してもいい。この場合は、第２トラッキング回路パターン７０２ｂと第２フォーカシング回路パターン７０３ｂに供給される電流方向を、図７の方向と反対にする必要がある。
【００７２】
図８は、本発明の第３実施例によるボビン８００であって、トラッキング回路パターンを一つにした場合である。図８に示すように、トラッキング回路パターンを一つにする場合には、レンズ取付け部８０４をボビン８００の中央から外れた位置にするといい。すなわち、ボビンの大きさを最小化するためにコイル及びレンズの位置を非対称的に配置させる。
【００７３】
前述の如く、図３ないし図５ｂの第１及び第２トラッキング回路パターン３０２ａ、３０２ｂは、チルトに影響を与えないので、図８のようにレンズ取付け部８０４の一側に位置する一つのトラッキング回路パターン８０２に構成できるのである。
【００７４】
図９に、本発明の第４実施例によるボビン９００を示す。図９のボビン９００には、第１及び第２フォーカシング回路パターン９０３ａ、９０３ｂがボビン９００の両端に配置されており、単一トラッキング回路パターン９０２がボビン９００の中心部に配置されている。
【００７５】
図９の実施例では、第１及び第２フォーカシング回路パターン９０３ａ、９０３ｂがトラッキング回路パターン９０２と同様にソレノイドタイプで構成される。また、第１及び第２フォーカシング回路パターン９０３ａ、９０３ｂ及びトラッキング回路パターン９０２のソレノイドの軸はトラッキング方向に垂直である。
【００７６】
このように構成されるボビン９００では、第１及び第２フォーカシング回路パターン９０３ａ、９０３ｂにフォーカシング方向の力がかかるようにし、また、トラッキング回路パターン９０２にトラッキング方向の力がかかるようにするためには、図１０に示すように分極された永久磁石を配置しなければならない。
【００７７】
図１０に、図９のボビン９００に、多数の方向に分極された１つの永久磁石を使って磁場を加える場合の構成を示す。図１１ａは、図１０のボビン９００の平面図であり、図１１ｂは、図１１ａのボビン９００をＹ−Ｙ’線に沿って切断した断面図である。
【００７８】
図１０ないし図１１ｂを参照すれば、トラッキング回路パターン９０２及び第１及び第２フォーカシング回路パターン９０３ａ、９０３ｂにおいて点線で表示したａ、ｂ、ｃ、ｄ部分にそれぞれトラッキング方向及びフォーカシング方向の力を発生させるためには、
【００７９】
図１０に示すように合計６個の平板型永久磁石９０８ａ、９０８ｂ、９０８ｃ、９０８ｄ、９０８ｅ、９０８ｆを貼り付けた形態に分極された永久磁石９０８を使用しなければならない。実際に、６個の小さな永久磁石を貼り付けて使用してもよく、単一の磁石を図示した形態に分極して使用してもいい。
【００８０】
第１フォーカシング回路パターン９０３ａのａ部分は永久磁石９０８の第１分極部９０８ａの影響を受け、ｃ部分は永久磁石の第２分極部９０８ｂの影響を受ける。また、第１フォーカシング回路パターン９０３ａのｂ及びｄ部分の上部は第１分極部９０８ａの影響を受け、下部は第２分極部９０８ｂの影響を受ける。
【００８１】
第２フォーカシング回路パターン９０３ｂのａ部分は永久磁石９０８の第５分極部９０８ｅの影響を受け、ｃ部分は永久磁石の第６分極部９０８ｆの影響を受ける。第２フォーカシング回路パターン９０３ｂのｂ及びｄ部分の上部は第５分極部９０８ｅの影響を受け、下部は第６分極部９０８ｆの影響を受ける。
【００８２】
図１０ないし図１１ｂに示すように、第１及び第２フォーカシング回路パターン９０３ａ、９０３ｂに時計方向に電流が流れると仮定する場合、フォーカシング回路パターン９０８ａ、９０８ｂのａ、ｃ部分には持ち上げる力が発生し、ｂ、ｄ部分に発生するローレンツの力はお互い相殺される。
【００８３】
その結果、第１及び第２フォーカシング回路パターン９０３ａ、９０３ｂには矢印９１１方向に持ち上げられる力が発生する。トラッキング回路パターン９０２のｂ部分は、永久磁石９０８の第４分極部９０８ｄの影響を受け、ｄ部分は永久磁石９０８の第３分極部９０８ｃの影響を受ける。
【００８４】
図１０ないし図１１ｂに示すように、トラッキング回路パターン９０２に時計方向に電流が流れると仮定する場合、ｂ、ｄ部分には矢印９１２方向に押す力が発生し、ａ、ｃ部分に発生するローレンツの力はお互い相殺される。その結果、トラッキング回路パターン９０２には矢印９１２方向に押す力が発生する。
【００８５】
次に、図１２ａないし図１２ｅに本発明に係る巻線コイルが一体化されたボビンの製造方法を示す。図１２ａは、加工前の銅張積層板(ＣＣＬ；Ｃｏｐｐｅｒ  Ｃｌａｄ  Ｌａｍｉｎａｔｅ）１２０１の断面図であり、絶縁層１２０３に銅箔１２０２が貼り付けてある。
【００８６】
銅張積層板の種類には、その用途によって、ガラス／エポキシ銅張積層板、耐熱樹脂銅張積層板、紙／フェノール銅張積層板、高周波用銅張積層板、フレキシブル銅張積層板（ポリイミドフィルム）及び複合銅張積層板など様々なものがあるが、両面ＰＣＢ（Ｐｒｉｎｔｅｄ  Ｃｉｒｃｕｉｔ  Ｂｏａｒｄ）及び多層ＰＣＢの作製時に主として使用されるガラス／エポキシ銅張積層板を使用すると好ましい。
【００８７】
図１２ｂにおいては、銅張積層板１２０１にドリルリング加工により両面に形成されたフォーカシング回路パターンを連結するためのバイアホール１２０５ａ、１２０５ｂと、両面に形成されたトラッキング回路パターンを連結するためのバイアホール１２０６ａ、１２０６ｂと、対物レンズ接続部１２０４と、を形成する。
【００８８】
その後、図１２ｃに示すように、無電解銅めっき及び電解銅めっきで基板の両面及びバイアホール内部に銅めっき層１２０８を形成する。ここで、図１２ｃには無電解銅めっき層及び電解銅めっき層１２０８が単一層で示されているが、実際には無電解銅めっきを先に行い、次に電解銅めっきを行う。このように電解銅めっきに先立って無電解銅めっきを施す理由は、絶縁層上では電気を必要とする電解銅めっきが施せないからである。すなわち、電解銅めっきに必要な導電性膜を形成するためにその前処理として薄く無電解銅めっきを施すのである。
【００８９】
これらのバイアホールの内部は充填材で埋め込む必要があり、このため、別途の充填過程にて埋め込んでもいいが、バイアホール１２０５ａ、１２０５ｂ、１２０６ａ、１２０６ｂの直径が小さいので、別途の充填過程を行わずに無電解銅めっき及び電解銅めっき過程によりバイアホール内部を充填させることが好ましい。
【００９０】
図１２ｄでは、フォーカシング回路パターン及びトラッキング回路パターン形成のためのエッチングレジスト１２０９のパターンを形成する。レジストパターンを形成するためにはアートワークフィルムに印刷された回路パターンを基板上に転写する必要がある。転写する方法には様々なものがあるが、最も多く使用される方法には、感光性のドライフィルムを用い、紫外線によりアートワークフィルムに印刷された回路パターンをドライフィルムに転写する方式がある。この場合、ドライフィルムの代わりにＬＰＲ（Ｌｉｑｕｉｄ  Ｐｈｏｔｏ  Ｒｅｓｉｓｔ）を使用してもいい。
【００９１】
その後、図１２ｅに示すように、基板をエッチング液に浸すと、第１及び第２フォーカシング回路パターン１２０９ａ、１２０９ｂ及び第１及び第２トラッキング回路パターン１２１０ａ、１２１０ｂが形成される。
【００９２】
図１２ａないし図１２ｅの断面図は、図４ないし図５ｂに示した本発明の第１実施例による基板の製造方法に関するものであるが、本発明のその他の実施例による基板も、単に回路パターンのみを変更すると、図１２ａないし図１２ｅに示した方法と同方法によって製造することができる。
【図面の簡単な説明】
【００９３】
【図１】従来の光ピックアップ装置の概略的な構造を示す図。
【図２】図２は、従来の光ピックアップアクチュエータの構成部分を示す分離斜視図。
【図３】図３は、ディスク書込及び／または読出装置に使用される印刷回路基板を用いて巻線コイルを一体化した本発明の第１実施例によるボビンの概略図。
【図４】図４は、図３に示す巻線コイルと一体化されたボビンの両端に永久磁石を配置する場合の動作を説明する概略図。
【図５ａ】図５ａは、図４に示した永久磁石及びボビンの平面図。
【図５ｂ】図５ｂは、図５ａのＸ−Ｘ’に沿って切断した断面図。
【図６】図６は、本発明の第２実施例による各面がＮ極及びＳ極に分極された永久磁石を使用する場合のボビンと永久磁石の構成を示す図。
【図７】図７は、本発明の第２実施例によるボビン及びその動作を説明するための図であり、トラッキング回路パターンが永久磁石に平行に形成された実施例を示す図。
【図８】図８は、本発明の第３実施例によるボビンであり、トラッキング回路パターンを１つにした実施例を示す図。
【図９】図９は、本発明の第４実施例によるボビンであって、フォーカシング回路パターンがボビンの両端に配置されており、ボビンの中心に単一トラッキング回路パターンが配置された実施例を示す図。
【図１０】図１０は、図９のボビンに１つの永久磁石を使って磁場を加え、ローレンツの力を発生させる場合の構成を示す図。
【図１１ａ】図１１ａは、図１０のボビンの平面図。
【図１１ｂ】図１１ｂは、図１１ａのボビンをＹ−Ｙ’線に沿って切断した断面図。
【図１２ａ】本発明に係る巻線コイルが一体化されたボビンの作製方法を示す図。
【図１２ｂ】本発明に係る巻線コイルが一体化されたボビンの作製方法を示す図。
【図１２ｃ】本発明に係る巻線コイルが一体化されたボビンの作製方法を示す図。
【図１２ｄ】本発明に係る巻線コイルが一体化されたボビンの作製方法を示す図。
【図１２ｅ】本発明に係る巻線コイルが一体化されたボビンの作製方法を示す図。
【符号の説明】
【００９４】
３００：巻線コイルが一体化されたボビン
３０１：印刷回路基板
３０２ａ、３０２ｂ:トラッキング回路パターン
３０３ａ、３０３ｂ:フォーカシング回路パターン
３０４：対物レンズ取付部
３０５ａ、３０５ｂ：接続パッド
３０６ａ、３０６ｂ：フォーカシング回路パターンのバイアホール
３０６ｃ、３０６ｄ：トラッキング回路パターンのバイアホール
３０７ａ、３０７ｂ、３０７ｃ、３０７ｄ：電源供給用ワイヤ
３０８ａ、３０８ｂ：永久磁石
３１０、３１１：ローレンツの力方向
【図１】
2006294254.tif 000003
【図２】
2006294254.tif 000004
【図３】
2006294254.tif 000005
【図４】
2006294254.tif 000006
【図５ａ】
2006294254.tif 000007
【図５ｂ】
2006294254.tif 000008
【図６】
2006294254.tif 000009
【図７】
2006294254.tif 000010
【図８】
2006294254.tif 000011
【図９】
2006294254.tif 000012
【図１０】
2006294254.tif 000013
【図１１ａ】
2006294254.tif 000014
【図１１ｂ】
2006294254.tif 000015
【図１２ａ】
2006294254.tif 000016
【図１２ｂ】
2006294254.tif 000017
【図１２ｃ】
2006294254.tif 000018
【図１２ｄ】
2006294254.tif 000019
【図１２ｅ】
2006294254.tif 000020